(57)【要約】【課題】卓上面を容易に移動が可能であり，且つ作業スペースの広狭に関わらず，作業中における資料等のシートの移動，或いは卓上ラックを移動させる度に発生する作業等の煩雑な作業を伴わない，パソコンの操作部を備えた部材を載置するための卓上ラックを提供することで，利用者の作業効率を高める。【解決手段】卓上ラックが有する台板の下部の四方に円筒状のローラを備えることで卓上ラックの移動が容易に行える。さらに，台板の底部と卓上面との間に，卓上面に載置された資料等のシートが自在に抜き差し可能な程度の幅の間隙を形成させることで，卓上ラックよりもシートが手前にある場合でも，卓上ラックを手前に引いた際に，上記のように形成された間隙にシートが収まるので，作業中における資料等のシートの移動，或いは卓上ラックを移動させる際に発生する作業等の煩雑性がある作業が不必要になる。【選択図】図３
2004355355.tif 000002
【特許請求の範囲】
【請求項１】
パソコンの操作部を備えた部材を載置する平面状台板の，載置された上記パソコン操作部の手前側端縁の高さを，パソコン操作部の奥側端縁より低くすることで上記台板に傾斜を持たせて卓上に載置されるパソコンの操作部を備えた部材を載置するための卓上ラックにおいて，
上記台板の下部の四方にパソコン操作部の手前側端縁に対して垂直方向に走行自在な円筒状のローラが設けられ，上記台板の底部と上記卓上ラックを載置する卓上面との間に，上記卓上面に載置されたシートが自在に抜き差し可能な程度の幅からなる間隙が形成されるように，上記円筒状のローラによって走行自在に支持された上記台板の高さ及び上記円筒状のローラの左右の間隔が決定されてなることを特徴とするパソコンの操作部を備えた部材を載置するための卓上ラック。
【請求項２】
上記パソコン操作部の手前側端縁の側に備えた上記円筒状のローラの径が，上記パソコン操作部の奥側端縁の側に備えた上記円筒状のローラの径より小さい請求項１に記載のパソコンの操作部を備えた部材を載置するための卓上ラック。
【請求項３】
上記台板が放熱性の良好な金属性部材である請求項１または２に記載のパソコンの操作部を備えた部材を載置するための卓上ラック。
【請求項４】
上記パソコン操作部の手前側端縁からパソコンの操作部を備えた部材が滑り落ちることを防止するための滑り止めを備えた請求項１〜３のいずれかに記載のパソコンの操作部を備えた部材を載置するための卓上ラック。
【請求項５】
上記円筒状のローラが高摩擦係数を有する部材からなる請求項１〜４のいずれかに記載のパソコンの操作部を備えた部材を載置するための卓上ラック。
【請求項６】
上記シートが，Ａ４規格サイズのシートの長手方向が上記円筒状のローラの走行方向に沿わせて置かれたものである請求項１〜５のいずれかに記載のパソコンの操作部を備えた部材を載置するための卓上ラック。
【請求項７】
上記パソコンの操作部を備えた部材がノート型パソコンまたはキーボードである請求項１〜６のいずれかに記載のパソコンの操作部を備えた部材を載置するための卓上ラック。
【請求項８】
上記台板が，その手前側端縁に取手を備えてなる請求項１〜７のいずれかに記載のパソコンの操作部を備えた部材を載置するための卓上ラック。
【請求項９】
上記台板に放熱用開口が形成されてなる請求項１〜８のいずれかに記載のパソコンの操作部を備えた部材を載置するための卓上ラック。
【発明の詳細な説明】
【０００１】
【発明の属する技術分野】
本発明は，ノート型パソコン，キーボード等のパソコンの操作部を備えた部材を載置する台板を備え，上記台板が平面状で緩やかな傾斜を有する卓上ラック（以下，卓上ラックという）について，特に上記台板の下部の四方に円筒状のローラを備え，上記台板の底部と上記卓上ラックを載置する卓上面との間にシートが抜き差し可能な間隙を有する卓上ラックに関するものである。
【０００２】
【従来の技術】
一般に，ノート型パソコンあるいはパソコンのキーボードの載置を目的とした卓上ラックには，利用者がキーボードを操作しやすくするために，卓上ラックの手前側端縁の高さを上記卓上ラックの奥側端縁より低くし，卓上ラックの台板に緩やかな傾斜が形成されるように工夫されている。このような，ノート型パソコンあるいはパソコンのキーボードの載置を目的とした卓上ラックにおける従来技術としては，卓上ラックの台板の傾斜を利用者が操作しやすい角度に調整できる角度調整ツマミを備えた卓上ラックが提案されている。また，上記卓上ラックには，奥側端縁の２ヶ所に円筒状のローラ，手前側端縁の中央部にＴ字型ハンドルが設けられている。利用者がＴ字型ハンドルを持ち上げて手前側に引くと，円筒状のローラが回転することによって，利用者が使用しやすい場所に卓上ラックを移動させることが可能になっている。さらに，上述したようなノート型パソコンあるいはパソコンのキーボードの載置を目的とした卓上ラックについての従来技術に，特許文献１に挙げられるような，台板に複数個の球状ローラを備えることで，ノート型パソコン等を事務用具の卓上面で移動させる際に，あまり労力を要さない卓上ラックも提案されている。
【０００３】
【特許文献１】
登録実用新案第３０７１６７０号公報
【０００４】
【発明が解決しようとする課題】
しかしながら，上述したような卓上ラックの場合，卓上ラックの手前側端縁の中央部にはＴ字型ハンドルがあり，卓上ラックを卓上面に載置している際には，常にＴ字型ハンドルと卓上面とが接触している。つまり，卓上におかれた状態で，卓上におかれた紙等のシートの上に上記Ｔ字型ハンドルが乗った状態では，上記シートがハンドルに押さえつけられて簡単に抜き差しできない状態にある。また同時に卓上ラックが自由に卓上面あるいは紙面上を走行できない状態にあると言える。そのため，例えば卓上ラックにノート型パソコンを載置して利用者が作業する場合，作業スペースにおいて，利用者が使用する資料等が卓上ラックよりも利用者側に置かれている状況下で利用者がパソコンを使用する時には，Ｔ字型ハンドルを持ち上げて卓上ラックを手前に引き寄せる動作が必要となる。また同様に，パソコンの使用が終了すると，再びＴ字型ハンドルを持ち上げ作業スペースの奥側にパソコンを押しやる動作も必要となる。
この場合には，作業スペースが広ければ，資料をスタンド等に固定しての作業や，資料を近くに置いての作業をすることで係る問題を回避できる。しかし，作業中に資料に書き込みをする際に，一旦資料をスタンドから取り外しなどを行い，資料に書き込みをした後に，再度スタンドに資料を固定するという煩雑な作業が発生する可能性は否めない。また，限られたスペースで卓上ラックを使用して作業する場合には，資料とパソコンとの配置場所が近くなるため，上述したような動作を行う可能性が高い。その結果，煩雑な作業が発生し，作業効率の低下を招くという問題がある。
さらに特許文献１に開示された，上述した球状ローラを備えた卓上ラックは，例えば卓上面が平面である場合には作業中に横滑りなどを起こしやすく，更に重量があるノート型パソコン等を載置した場合，球状ローラを固定する部分と球状ローラとの間で発生する摩擦の関係で，ローラの回転が鈍りノート型パソコンが移動できない等の問題があった。
従って，本発明は上記事情に鑑みてなされたものであり，その目的とするところは，卓上ラックが有する台板の下部の四方に卓上ラックの手前側端縁に対して垂直方向に走行自在な円筒状のローラを備え，また，上記台板の底部と上記卓上ラックを載置する卓上面との間に，上記卓上面に載置されたシートが自在に抜き差し可能な程度の幅の間隙ができるように，上記台板の高さおよび上記円筒状のローラの左右の間隔が決定されたパソコンの操作部を備えた部材を載置するための卓上ラックを提供することで，上記シートの配置場所を作業毎に変更する作業や，卓上ラックの移動の際に発生する作業等の煩雑な作業をなくすことにより，作業効率を高めることにある。
【０００５】
【課題を解決するための手段】
上記目的を達成するために，本発明は，パソコンの操作部を備えた部材を載置する平面状台板の，載置された上記パソコン操作部の手前側端縁の高さを，パソコン操作部の奥側端縁より低くすることで上記台板に傾斜を持たせて卓上に載置されるパソコンの操作部を備えた部材を載置するための卓上ラックにおいて，上記台板の下部の四方にパソコン操作部の手前側端縁に対して垂直方向に走行自在な円筒状のローラが設けられ，上記台板の底部と上記卓上ラックを載置する卓上面との間に，上記卓上面に載置されたシートが自在に抜き差し可能な程度の幅からなる間隙が形成されるように，上記円筒状のローラによって走行自在に支持された上記台板の高さ及び上記円筒状のローラの左右の間隔が決定されてなることを特徴とするパソコンの操作部を備えた部材を載置するための卓上ラックから構成される。
このことにより，上記卓上ラックを利用者が手前に引くと，上記卓上ラックの台板の四方に備えられた円筒状のローラが回転することで，容易に上記卓上ラックを移動させることが可能である。また，上記卓上ラックには上記台板の底部と卓上面との間隙に資料等のシートが抜き差し可能な間隙を有しているので，上記卓上ラックを利用者が手前に引くと間隙に資料が収まるため，資料を上記卓上ラックよりも手前に置いて作業をする場合でも，資料を移動させたり卓上ラックを持ち上げたりする動作が不要になる。
【０００６】
この場合，上記パソコン操作部の手前側端縁の側に備えた上記円筒状のローラの径が，上記パソコン操作部の奥側端縁の側に備えた上記円筒状のローラの径より小さいことが望ましい。また，上記卓上ラックが有する上記台板は放熱性の良好な金属性部材であることが望ましい。さらに，上記円筒状のローラについては高摩擦性能を有する部材が使用されていればなお良い。
【０００７】
また，上記卓上ラックには，上記パソコン操作部の手前側端縁から，パソコンの操作部を備えた部材が滑り落ちることを防止するための滑り止めが備えられている場合も考えられる。
【０００８】
尚，上記円筒状のローラの左右の間隔については，Ａ４規格サイズのシートの長手方向が上記円筒状のローラの走行方向に沿わせて置かれた場合を想定して決定しても良い。
【０００９】
また，上記卓上ラックが有する上記台板に載置する上記パソコンの操作部を備えた部材とは，ノート型パソコンまたはキーボードであることが考えられる。
更に，上記台板の前側端縁に取手を設けておくことで，この取手を持って台板を持ち上げることが容易となり，操作性が向上する。このように台板を持ち上げることで，大きい用紙の上に当該ラックを持ち上げたりその上で走行させたりすることが容易となる。もちろん嵩高な雑誌などの上を走行することも簡単に出来る。
載置するものがノート型パソコンのように発熱性の物である場合には，台板の放熱性が重要となる。そのため，上記台板に放熱用開口が形成されていれば，ノート型パソコンの蓄熱性が解消される。
【００１０】
【発明の実施の形態】
以下添付図面を参照しながら，本発明の実施の形態について説明し，本発明の理解に供する。尚，以下の実施の形態は，本発明を具体化した一例であって本発明の技術的範囲を限定するものではない。
ここに，図１は本発明の一実施形態（以下，実施形態例という）に係るパソコンの操作部を備えた部材の一例として，ノート型パソコンを載置するための卓上ラックＸ（以下，卓上ラックＸという）を真上から見た図，図２は上記実施形態例に係る卓上ラックＸを該卓上ラックＸの手前側端縁を左側にして真横から見た図，図３は上記実施形態例に係る卓上ラックＸを右斜め上から見た図，図４は上記実施形態例に係る卓上ラックＸを右斜め下から見た図である。
【００１１】
まず，上記卓上ラックＸの構成について図１〜図４を用いて説明する。本実施形態例については，上記卓上ラックＸに載置される上記パソコンの操作部を備えた部材をノート型パソコンと想定して説明をする。ここで，前提として上記卓上ラックＸの後記する円筒状ローラによる走行方向は，載置するノートパソコンの奥行き方向，即ち，矢印Ｙに平行である。また，図１〜図３のそれぞれに示すように，Ａは上記卓上ラックの手前側端縁（つまり利用者側），Ｂは上記卓上ラックの奥側端縁である。
上記卓上ラックＸは，例えばステンレス板，アルミ板等の熱伝導性或いは放熱性が良く所定の厚みを有した金属性部材を使用した台板１を主たる部材として構成されても良いし，プラスティック部材を使用した台板１を主たる部材として構成されてもよい。このようなプラスティック製の台板１は，成形によっても製作可能であるため，安価となる。
上記台板１には，軽量化及び放熱を行うために複数個の四角状の放熱開口２が形成されている。また上記手前側端縁Ａには，上記卓上ラックＸに載置したノート型パソコンが上記卓上ラックＸからの滑り落ちるのを防止する滑り止め３が手前側に向けて上方向に所定の傾斜を持って形成されている。また上記手前側端縁Ａには，上記卓上ラックＸを移動させる際に使用する把手４が設けられており，上記取手４の内部は中空部４ａを形成している。このことから，上記把手４を利用者が握った際に，上記真空部４ａに利用者が指を入れることができ，利用者が上記卓上ラックＸを持ち上げ易い構造になっている。このように上記取手４は，例えば走行方向に障害物がある場合や，下に敷いたシートが広い場合，更にはシートが湾曲している場合等には，利用者が上記把手４を持ち上げて上記卓上ラックＸの走行方向を自由に変更場合に都合がよい。更に用紙が反っている等といった，資料等のシートが閲覧し難い状態であっても，利用者が上記把手４を持ち上げて上記卓上ラックＸを上記シートの上に載置することで，上記シートの固定が可能である。
更に，上記台板１の裏面には，その上記奥側端縁Ｂ側の隅の２箇所に，上記卓上ラックＸの奥側円筒状ローラ（以下，Ｂ側円筒状ローラという）５が，上記手前側端縁Ａ側の隅の２箇所に，上記卓上ラックＸの手前側円筒状ローラ（以下，Ａ側円筒状ローラという）６が回転自在の配置されている。尚，図４については，上記Ｂ側円筒状ローラ５がＢ側円筒状ローラ５ａ（５ｂ），上記Ａ側円筒状ローラ６がＡ側円筒状ローラ６ａ（６ｂ）となっている。各円筒状ローラ５，６の走行方向は，上記したように手前側端縁Ａに直角の方向，即ち，矢印Ｙの方向である。
このように台板１の裏面に前後各２個の円筒状ローラ５ａ，５ｂ，６ａ，６ｂが配置され，卓上面に置かれたときに，これらの円筒状ローラによって台板１が卓上面から浮いていること，及びローラ５ａ，５ｂ間の左右の間隔が例えばＡ４の紙の短手方向の長さより大きく設定されているので，上記ローラ５ａ，５ｂ間（及びローラ６ａ，６ｂ間）にシート等を抜き差し自在に配置できることになる。ここで，図２に示されているように，上記Ｂ側円筒状ローラ５の径を上記Ａ側円筒状ローラ６の径よりも大きくすることで，上記台板１に緩やかな傾斜がつけられている。また，上記Ｂ側円筒状ローラ５および上記Ａ側円筒状ローラ６にゴム等の摩擦係数の高い部材を使用することで卓上面における横滑りが防止される。そのために，上記ローラ，特にＢ側円筒状ローラ５ａ，５ｂについては，幅を広くして，摩擦力を上げることが望ましい。
また上記のように，ローラ５及び６の走行方向は，矢印Ｙで示される台板１或いはその上に載置されたノート型パソコンやキーボードの前後方向のみである。
【００１２】
次に，図２，図３，および図４を用いて卓上面に資料などのシートが配置されている場合の上記卓上ラックＸの作用効果について説明する。
図に示されているように，上記Ａ側円筒状ローラ６（あるいは６ａ，６ｂ）と上記Ｂ側円筒状ローラ５（あるいは５ａ，５ｂ）により上記台板１と卓上面との間に間隙が形成されている。そのため，資料などを上記卓上ラックＸよりも手間側（つまり，利用者側）において作業を行っている場合に，利用者が上記把手４を持って上記卓上ラックＸを手前に引くと，上記Ａ側円筒状ローラ６（あるいは６ａ，６ｂ）および上記Ｂ側円筒状ローラ５（あるいは５ａ，５ｂ）が回転することで上記卓上ラックＸはＡ側に進み，手前に置いていた資料は上記で述べた間隙に，抜き差し自在に収まる仕組みになっている。
この場合，上記Ａ側円筒状ローラ６ａと６ｂとの間隔，および上記Ｂ側円筒状ローラ５ａと５ｂとの間隔は，例えば，使用頻度が高いＡ４サイズ（縦）シート７の短手方向より若干広い間隔に設定され，これらのシートを上記円筒状ローラ５，６が踏まないようにする事が可能である。また，上記Ａ側円筒状ローラ６ａと６ｂとの間隔，および上記Ｂ側円筒状ローラ５ａと５ｂとの間隔よりも広い，例えばＡ１のシートであっても，上記Ａ側円筒状ローラ６ａと６ｂ，および上記Ｂ側円筒状ローラ５ａと５ｂが，ゴム等の弾性部材から構成されているので，容易にシート上の走行が可能である。もちろん，上記Ａ４サイズ（縦）シート７については，ある程度の厚みを有する冊子などでもよい。
尚，本実施形態例には，上記卓上ラックＸに載置される上記パソコンの操作部を備えた部材がノート型パソコンである場合について述べているが，デスクトップ型パソコンのキーボードでも問題ない。また，上記卓上ラックＸに載置する上記パソコンの操作部を備えた部材のサイズによって，上記卓上ラックＸのサイズの変更も可能である。
【００１３】
【発明の効果】
以上説明したように，本発明によれば，上記卓上ラックが有する台板の下部の四方に円筒状のローラを備え，また，上記台板の底部と上記ラックを載置する卓上面との間に，上記卓上面に載置された資料等のシートが自在に抜き差し可能な程度の幅の間隙を形成することで，上記卓上ラックの移動を容易に行うことが可能になると共に，上記シートの配置場所を作業毎に変更する作業や，卓上ラックの移動の際に発生する作業等の煩雑な作業をなくすことで，作業効率を高める効果を奏する。特に，卓上に置かれた資料等に横書きの文字が書かれている場合に，台板の下に配置された資料等を，矢印Ｙ方向に自由に移動しつつワープロ作業等を行うことが出来るので，上記台板の手前側端縁Ａが，上記文字を読み取る時のカーソルの役目を果たし，文字の読取ミスを防ぐことが出来る。
【図面の簡単な説明】
【図１】本発明の一実施形態に係るパソコンの操作部を備えた部材を載置するための卓上ラックＸを真上から見た図。
【図２】実施形態例に係るパソコンの操作部を備えた部材を載置するための卓上ラックＸを該卓上ラックＸの手前側端縁を左側にして真横から見た図。
【図３】実施形態例に係るパソコンの操作部を備えた部材を載置するための卓上ラックＸを右斜め上から見た図。
【図４】実施形態例に係るパソコンの操作部を備えた部材を載置するための卓上ラックＸを右斜め下から見た図。
【符号の説明】
１・・・台板
２・・・放熱開口
３・・・滑り止め
４・・・把手
４ａ・・・把手の真空部
５・・・卓上ラックＸの奥側端縁（Ｂ側）円筒状ローラ
５ａ・・・卓上ラックＸの奥側端縁（Ｂ側）円筒状ローラ
５ｂ・・・卓上ラックＸの奥側端縁（Ｂ側）円筒状ローラ
６・・・卓上ラックＸの手前側端縁（Ａ側）円筒状ローラ
６ａ・・・卓上ラックＸの手前側端縁（Ａ側）円筒状ローラ
６ｂ・・・卓上ラックＸの手前側端縁（Ａ側）円筒状ローラ
７・・・Ａ４サイズ（縦）シート
【図１】
2004355355.tif 000003
【図２】
2004355355.tif 000004
【図３】
2004355355.tif 000005
【図４】
2004355355.tif 000006